(57)【要約】【課題】手を痛めることなく容易に持ち運べるショートフラップ段ボール箱を提供する。【解決手段】端壁１及び側壁２の上縁からそれぞれ短い端フラップ５及び側フラップ６を延出し、端フラップ５と側フラップ６とを順次閉じて重ねると、天面に開口部が残存するショートフラップ段ボール箱において、端フラップ５に先端から切込を入れて巻上片８を形成し、側フラップ６の両側部に突片９を設け、巻上片８をその基端の額縁部１０で上方外側へ折り返して突片９を抱き込み、対向する突片９間に位置する端フラップ５の係止穴１３に、巻上片８の先端部を切り込んで形成した係止片１２を押し込むと、端フラップ５と側フラップ６の閉止状態が維持されると共に、巻上片８の基端両側から突出する突片１１が側フラップ６の開口縁に乗り上げて、側フラップ６の反発が抑制されるようにする。【選択図】図３
2006143312.tif 000002
【特許請求の範囲】
【請求項１】
端壁及び側壁の上縁からそれぞれ短い端フラップ及び側フラップを延出し、端フラップと側フラップとを順次閉じて重ねると、天面に開口部が残存するショートフラップ段ボール箱において、端フラップに先端から切込を入れて巻上片を形成し、側フラップの両側部に突片を設け、巻上片をその基端の額縁部で上方外側へ折り返して突片を抱き込み、対向する突片間に位置する端フラップの係止穴に、巻上片の先端部を切り込んで形成した係止片を押し込むと、端フラップと側フラップの閉止状態が維持されると共に、巻上片の基端両側から突出する突片が側フラップの開口縁に乗り上げて、側フラップの反発が抑制されるようにしたことを特徴とするショートフラップ段ボール箱。
【発明の詳細な説明】
【技術分野】
【０００１】
この発明は、天面のフラップが短い農産物等の輸送用段ボール箱に関するものである。
【背景技術】
【０００２】
キャベツやかぼちゃ等の農産物を収納する段ボール箱として、図４に示すように、端壁５０及び側壁５１の上縁からそれぞれ短い端フラップ５２及び側フラップ５３を延出し、端フラップ５２及び側フラップ５３を重なり合うように順次閉じると、天面に開口部が残存するものが使用されている（特許文献１）。
【０００３】
この段ボール箱では、端フラップ５２に係止片５４が、側フラップ５３に貫穴５５がそれぞれ形成され、係止片５４を貫穴５５から引き出すと、係止片５４の側方へ張り出した頭部が貫穴５５の端縁に係合して、端フラップ５２と側フラップ５３の閉止状態が維持されるようになっている。
【０００４】
【特許文献１】特開２００１−３０１７４２号公報
【発明の開示】
【発明が解決しようとする課題】
【０００５】
ところで、上記のような段ボール箱は、農産物の輸送過程で積み替えを行う際、端板５０の取手穴に手を入れて抱えるのではなく、端フラップ５２の端縁に手を掛けて、ぶら下げるように持ち運ばれることがある。
【０００６】
しかしながら、上記段ボール箱では、端フラップ５２と側フラップ５３とがあまり堅固に固定されていないため、端フラップ５２に手を掛けてぶら下げると、端フラップ５２が揺動して、持ち運びにくく、また、端フラップ５２の端縁が手に食い込んで痛みを感じることもある。
【０００７】
そこで、この発明は、手を痛めることなく容易に持ち運べるショートフラップ段ボール箱を提供することを課題とする。
【課題を解決するための手段】
【０００８】
上記課題を解決するため、この発明は、端壁及び側壁の上縁からそれぞれ短い端フラップ及び側フラップを延出し、端フラップと側フラップとを順次閉じて重ねると、天面に開口部が残存するショートフラップ段ボール箱において、端フラップに先端から切込を入れて巻上片を形成し、側フラップの両側部に突片を設け、巻上片をその基端の額縁部で上方外側へ折り返して突片を抱き込み、対向する突片間に位置する端フラップの係止穴に、巻上片の先端部を切り込んで形成した係止片を押し込むと、端フラップと側フラップの閉止状態が維持されると共に、巻上片の基端両側から突出する突片が側フラップの開口縁に乗り上げて、側フラップの反発が抑制されるようにしたのである。
【発明の効果】
【０００９】
このショートフラップ段ボール箱では、端フラップと側フラップとが閉じた状態で堅固に固定されるので、端フラップの額縁部に手を掛けてぶら下げるように持ち運ぶ際にも、端フラップが揺動することがなく、持ち運びが容易になる。
【００１０】
また、巻上片で突片を抱きこむため、手を掛ける額縁部が所定の幅を有し、額縁部で段ボールの端面が露出しないので、手を痛めることもない。
【発明を実施するための最良の形態】
【００１１】
以下、この発明の実施形態を添付図面に基づいて説明する。
【００１２】
このショートフラップ段ボール箱のブランクでは、図１に示すように、端壁１と側壁２とが各一対交互に連設され、端壁１及び側壁２の下端には長い端フラップ３及び側フラップ４が、上端には短い端フラップ５及び側フラップ６がそれぞれ連設されている。また、一方の側壁２の外側には継代片７が連設されている。
【００１３】
端フラップ５には、先端から中間まで入れた２本の切込間に巻上片８が形成され、側フラップ６の両側部には、突片９が設けられている。突片９の先端は、ブランクにおいて、巻上片８の先端と揃っており、箱の組立時には、側フラップ６の両側部の突片９に挟まれた窪んだ部分が天面の開口部を形成するようになっている。
【００１４】
巻上片８の基端には、２本の並行する横方向の切目入り罫線に挟まれた額縁部１０が設けられ、巻上片８の両側の切込は基端側で内側へＪ字状に湾曲して、その内側に突片１１が形成されている。
【００１５】
巻上片８の先端部には、２本の切込に挟まれた先広がりの係止片１２が設けられ、端フラップ５の基部には、端壁１との稜線へ向かうコ字状の係止穴１３が設けられると共に、その内側に舌片１４が形成されている。
【００１６】
このブランクを組み立てて使用する際には、図２に示すように、各一対の端壁１及び側壁２を角筒状に折り曲げ、継代片７を反対側の端壁１に貼着し、底面の端フラップ３及び側フラップ４を順次閉じて貼り合わせ、この状態で、箱内に農産物等を収納し、天面の端フラップ５と側フラップ６とを順次内側へ折り曲げて重ね合わせる。
【００１７】
そして、巻上片８をその基端の額縁部１０で上方へ折り曲げ、さらに、図３に示すように、巻上片８を外側へ折り返して突片９を抱き込み、対向する突片９間に位置する係止穴１３に、その内側の舌片１４を押し下げつつ、係止片１２を押し込むと、端フラップ５と側フラップ６の閉止状態が維持され、箱の天面には開口部が残存する。
【００１８】
このように封緘する際、農産物等が箱の天面から盛り上がるように詰められていても、巻上片８は上方へ折り曲げて外側へ折り返すので、端フラップ５と側フラップ６とを確実に閉止して固定することができる。
【００１９】
また、巻上片８の幅は、箱の天面の開口部の幅よりも少し大きくなっているので、巻上片８が若干撓みつつ箱の天面の開口部を通過し、封緘状態では、巻上片８の基端から突出した突片１１が側フラップ６の開口縁に乗り上げて、側フラップ６の反発が抑制される。
【００２０】
そして、このように封緘した段ボール箱では、端フラップ５と側フラップ６とが閉じた状態で堅固に固定されるので、端フラップ５の額縁部に手を掛けてぶら下げるように持ち運ぶ際にも、端フラップ５が揺動することがなく、持ち運びが容易になる。
【００２１】
また、巻上片８で突片９を抱きこむため、手を掛ける額縁部１０が所定の幅を有し、額縁部１０で段ボールの端面の鋭利な切断縁が露出しないので、手を痛めることもない。
【図面の簡単な説明】
【００２２】
【図１】この発明の実施形態に係る段ボール箱のブランクを示す図
【図２】同上の段ボール箱のフラップ固定過程を示す斜視図
【図３】同上の段ボール箱のフラップ固定状態を示す斜視図
【図４】従来の段ボール箱のフラップ固定状態を示す斜視図
【符号の説明】
【００２３】
１  端壁
２  側壁
５  端フラップ
６  側フラップ
８  巻上片
９  突片
１０  額縁部
１１  突片
１２  係止片
１３  係止穴
【図１】
2006143312.tif 000003
【図２】
2006143312.tif 000004
【図３】
2006143312.tif 000005
【図４】
2006143312.tif 000006